(57)【要約】【課題】多室換気型の浴室換気暖房乾燥装置において住戸内全体での必要換気風量を確保しつつ、各種の運転モードに対応して各部屋の換気風量を適切に制御する。【解決手段】浴室２内に暖気を循環供給する暖房乾燥区画室２１と浴室２、洗面所３及びトイレ４の換気を行う換気区画室２７とを独立に設け、浴室２からの通気口３２とトイレ吸気ダクト９の接続部とにそれぞれ開度調節自在の風量調節ダンパ３３、３６を設置する。例えばトイレ換気強時に制御部４０は、常時換気運転のために排気風量が略一定になるように換気モータ２８の回転速度を制御しつつ、ダンパ３３の開度を小さくダンパ３６の開度を大きくする。それにより、トイレ４からの吸気風量を増加させる一方、洗面所３からの吸気風量の増加は抑制することができる。【選択図】  図７
2004257605.tif 000002
【特許請求の範囲】
【請求項１】
住戸内で浴室と浴室以外の少なくとも他の１室とから空気を吸引して屋外へ排出するための換気ファンを内部に備えた換気区画室と、前記浴室内に暖気を循環的に送給するための循環ファン及び加熱手段を内部に備えた暖房区画室とを独立に具備する浴室換気暖房換気装置において、
ａ）浴室内から前記換気区画室に至る吸気風路中にあって、開度が複数段階又は無段階に調整し得る第１風路開閉手段と、
ｂ）前記換気ファンによる屋外への排気風量を略一定に維持するべくそのファンモータの回転を制御する第１制御手段と、
ｃ）前記排気風量の略一定制御の下に、前記換気ファンにより換気される浴室又は他の部屋の換気風量変更の指示に応じて前記第１風路開閉手段の開度を制御する第２制御手段と、
を備えることを特徴とする浴室換気暖房乾燥装置。
【請求項２】
前記第２制御手段は、浴室内を乾燥させる乾燥モードにおいて、乾燥運転の後半期間に前半期間よりも浴室換気風量を減少させる指示を受け、その後半期間には前半期間よりも開度を小さくするべく前記第１風路開閉手段を制御することを特徴とする請求項１に記載の浴室換気暖房乾燥装置。
【請求項３】
前記少なくとも他の１室はトイレ又は洗面所であって、前記第２制御手段は、そのトイレ又は洗面所の換気風量変更の指示に応じ、該換気風量増加指示時には開度を小さくするべく前記第１風路開閉手段を制御することを特徴とする請求項１に記載の浴室換気暖房乾燥装置。
【請求項４】
前記少なくとも他の１室内から前記換気区画室に至る吸気風路中にも、開度が複数段階又は無段階に調整し得る第２風路開閉手段を設け、前記第２制御手段は、浴室又は他の部屋の換気風量変更の指示に応じて前記第１及び第２風路開閉手段の一方又は両方の開度を制御することを特徴とする請求項１〜３のいずれかに記載の浴室換気暖房乾燥装置。
【請求項５】
住戸内で浴室を含むｎ（２以上）室にそれぞれ設けられた吸気口から空気を吸引して屋外へ排出するための換気ファンを内部に備えた換気区画室と、前記浴室内に暖気を循環的に送給するための循環ファン及び加熱手段を内部に備えた暖房区画室とを具備する浴室換気暖房換気装置において、
ａ）前記ｎ室の吸気口から前記換気区画室に至るｎ個の吸気風路のうち、最大ｎ−１個の吸気風路中に設けられ、開度が複数段階又は無段階に調整し得る風路開閉手段と、
ｂ）前記換気ファンによる屋外への排気風量を略一定に維持するべくそのファンモータの回転を制御する第１制御手段と、
ｃ）前記排気風量の略一定制御の下に、前記換気ファンにより換気される前記ｎ室の換気風量変更の指示に応じて前記最大ｎ−１個の風路開閉手段の開度をそれぞれ制御する第２制御手段と、
を備えることを特徴とする浴室換気暖房乾燥装置。
【発明の詳細な説明】
【０００１】
【発明の属する技術分野】
本発明は、浴室を含む多室の同時換気を行い、且つ、浴室を暖房・乾燥する機能を併せ持つ浴室換気暖房乾燥装置に関する。
【０００２】
【従来の技術】
近年、新築の戸建て住宅や集合住宅では浴室換気暖房乾燥装置が標準的な住宅機器設備として採用されるようになってきている（例えば、非特許文献１参照）。この装置は、浴室のみの１室、浴室とトイレとの２室、或いは、浴室、洗面所及びトイレの３室の換気を行う換気機能と、浴室内に暖気を供給して浴室内の温度を上昇させる暖房・乾燥機能とを併せ持つ。こうした暖房・乾燥機能を用いれば、浴室を洗濯物乾燥室として利用することができるので天候を気にせずに洗濯物の乾燥を行えるとともに、浴室内自体の湿気を除去してカビの発生を効果的に防止することができる。
【０００３】
もちろん、浴室内の暖房・乾燥時に同時に浴室内の換気を行うと、浴室内に送給された暖気が屋外へ排出されてしまって暖房効率が悪くなる。そこで、こうした多室型の換気暖房乾燥装置において、浴室内の暖房運転時に浴室の換気を停止し、暖気が屋外へ排出されることを防止できるようにした装置が従来知られている。
【０００４】
例えば特許文献１に記載の装置では、トイレ及び洗面所から空気を吸引して屋外へ排出する換気ユニットと、浴室から空気を吸引してヒータで加熱した後に浴室内へ送出する暖房乾燥ユニットとを隣接して配置するとともに、両者を連通する連通口を設け、その連通口に開閉自在のダンパを設置した構成を備える。この構成によれば、ダンパを開放した状態で換気運転を行えば、トイレ、洗面所内の空気のみならず、暖房乾燥ユニット及び連通口を通して浴室内の空気も換気ユニットにより吸引されるから、浴室、トイレ及び洗面所の３室換気が達成される。一方、浴室暖房運転時にダンパを閉じれば、暖房乾燥ユニットと換気ユニットは遮断されるので、浴室内の空気は換気ユニットにより吸引されることがなく、暖気が屋外へ排出されることがない。
【０００５】
しかしながら、上記従来技術では、略水平に設けた軸を中心にして蝶動自在に設けたダンパ本体を電磁石で吸着することで閉鎖させ、電磁石の吸着を解除したときに風圧によってダンパ本体が開放するようにしている。そのため、ダンパの開度が不安定であるという問題があった。こうした問題を解決するために、特許文献２に記載の装置では、ダンパ本体の略中心位置に軸を設け、該軸をモータで回転駆動することによりダンパ本体の回転角度、つまりはダンパの開度を任意に調整できるようにしている。
【０００６】
【特許文献１】
特開平１０−７３２９４号公報
【特許文献２】
特開平２００１−２０１２５６号公報
【非特許文献１】
“浴室換気暖房乾燥機「三乾王」”，［Ｏｎｌｉｎｅ］，東陶機器株式会社，［平成１５年２月３日検索］，インターネット〈ＵＲＬ：  ｈｔｔｐ：／／ｗｗｗ．ｔｏｔｏ．ｃｏ．ｊｐ／ｐｒｏｄｕｃｔｓ／ｂａｔｈ／ｂ００００８／ｉｎｄｅｘ．ｈｔｍ〉
【０００７】
【発明が解決しようとする課題】
上記のような従来の浴室換気暖房乾燥装置では、浴室暖房運転時に浴室換気を完全に停止することが可能であるが、実際には浴室暖房運転時にも、或る程度の浴室換気を行うことが好ましい場合が多い。例えば、一般に入浴時に浴室暖房を行うことが多いが、このときにはお湯から水蒸気が立ち上るため、浴室換気を完全に停止してしまうと浴室の天井や壁面で結露して水滴が生じ易い。また、浴室内で洗濯物の乾燥を行うために浴室暖房乾燥機能を利用する場合には、洗濯物から蒸発した水蒸気を迅速に排出するために換気を行う必要がある。
【０００８】
上記従来の浴室換気暖房乾燥装置による構成では、ダンパを少しでも開放した状態で暖房ユニットと換気ユニットとを同時に動作させると、暖房ユニットから直接的に空気が換気ユニットへ吸引されるため、浴室内へ供給される前の暖気の一部が浴室へ供給されること無しにそのまま排出されてしまい、暖房が非効率的であるととともに電力消費量が多くなる。
【０００９】
また、上記のようにダンパの開度を変更した場合には、そのダンパの開口を通した流路抵抗が変化する。従って、トイレや洗面所側の吸気風路の流路抵抗との比率が変化するわけであるが、浴室、トイレ、洗面所を含む全体の流路抵抗も変化する。それによって換気の総風量が変化してしまうと、こうした換気装置によって住戸内全体の換気を行っている場合に、一部の部屋での換気が悪くなって室内環境の悪化等を招く可能性がある。
【００１０】
特に最近、住宅の高気密化、高断熱化が進んでおり、結露の発生やダニ等によるアレルギーの増加などの換気の不足を一因とする様々な問題が発生している。また、壁紙等の内装材から発生するホルムアルデヒド等の化学物質を原因とするシックハウス症も増加しており、こうした問題の解決にも住戸内の換気が一層重要になっており、法律や各種公的規制によっても常時換気の義務付けや必要換気風量の設定が為されるような状況になっている。こうしたことに対しても上記のような従来の装置では充分に対応することが難しい。
【００１１】
本発明はこのような課題に鑑みて成されたものであり、その主たる目的とするところは、如何なる運転を実行した場合であっても快適性を損なうことがなく、必要な換気風量を確保することができる浴室換気暖房乾燥装置を提供することにある。
【００１２】
【課題を解決するための手段、及び効果】
上記課題を解決するために成された第１発明は、住戸内で浴室と浴室以外の少なくとも他の１室とから空気を吸引して屋外へ排出するための換気ファンを内部に備えた換気区画室と、前記浴室内に暖気を循環的に送給するための循環ファン及び加熱手段を内部に備えた暖房区画室とを独立に具備する浴室換気暖房乾燥装置において、
ａ）浴室内から前記換気区画室に至る吸気風路中にあって、開度が複数段階又は無段階に調整し得る第１風路開閉手段と、
ｂ）前記換気ファンによる屋外への排気風量を略一定に維持するべくそのファンモータの回転を制御する第１制御手段と、
ｃ）前記排気風量の略一定制御の下に、前記換気ファンにより換気される浴室又は他の部屋の換気風量変更の指示に応じて前記第１風路開閉手段の開度を制御する第２制御手段と、
を備えることを特徴としている。
【００１３】
この第１発明に係る浴室換気暖房乾燥装置では、第１制御手段の制御の下に、浴室と少なくとも他の１室とから吸引されて屋外へ排気される排気風量がほぼ一定に維持されるように、ファンモータの回転が制御される。そのため、吸気側の風路で流路抵抗が変化した場合でも、排気風量つまり換気総風量はほぼ一定に保たれる。一方、第２制御手段は、浴室や他の部屋の換気風量変更の指示に応じて、第１風路開閉手段の開度を適宜制御する。
【００１４】
例えば第１発明の一実施態様として、第２制御手段は、浴室内を乾燥させる乾燥モードにおいて、乾燥運転の後半期間に前半期間よりも浴室換気風量を減少させる指示を受け、その後半期間には前半期間よりも開度を小さくするべく第１風路開閉手段を制御する構成とすることができる。
【００１５】
これによれば、住戸全体の換気風量を略一定に維持しながら、乾燥運転の後半期間に浴室からの吸気風量を絞ることができる。また、換気区画室と暖房区画室とが分離されていて浴室内から直接的に空気を吸引しているため、暖房区画室内で生成された暖気が確実に浴室内に供給される一方、浴室内の湿った空気を吸引して換気することができる。これにより、浴室内の暖房や乾燥を効率的に行うことができるとともに、例えば洗濯物の乾燥を行う場合には洗濯物をふんわりと仕上げることができるという効果も奏する。
【００１６】
また、第１発明の別の態様として、上記少なくとも他の１室がトイレ又は洗面所である場合に、第２制御手段は、そのトイレ又は洗面所の換気風量変更の指示に応じ、該換気風量増加指示時には開度を小さくするべく第１風路開閉手段を制御する構成とすることができる。
【００１７】
これによれば、住戸全体の換気風量を略一定に維持しながら、必要に応じてトイレや洗面所の換気を強状態にして、不所望の臭気や湿気を迅速に屋外へ排出することができる。また、トイレや洗面所の換気風量を増減するために浴室側の吸気風路に設けた第１風路開閉手段を利用しているので、風量調節の構成が煩雑になることを回避することができる。
【００１８】
また、第１発明に係る浴室換気暖房乾燥装置では、前記少なくとも他の１室内から前記換気区画室に至る吸気風路中にも、開度が複数段階又は無段階に調整し得る第２風路開閉手段を設け、前記第２制御手段は、浴室又は他の部屋の換気風量変更の指示に応じて前記第１及び第２風路開閉手段の一方又は両方の開度を制御する構成とすることができる。
【００１９】
この構成によれば、第１及び第２なる２つ風路開閉手段の開度を適宜に制御することにより、他の部屋の吸気風量への影響をできる限り軽減しつつ、目的とする部屋の吸気風量を充分に増加又は減少させることができる。従って、例えば他の部屋に居る人が肌寒くなる等の快適性を損なうことを軽減できる、或いは、暖房中である部屋の暖気を急速に屋外へ排出しまって暖房効率を大きく低下させることを防止することができる。
【００２０】
また上記課題を解決するために成された第２発明は、住戸内で浴室を含むｎ（２以上）室にそれぞれ設けられた吸気口から空気を吸引して屋外へ排出するための換気ファンを内部に備えた換気区画室と、前記浴室内に暖気を循環的に送給するための循環ファン及び加熱手段を内部に備えた暖房区画室とを具備する浴室換気暖房換気装置において、
ａ）前記ｎ室の吸気口から前記換気区画室に至るｎ個の吸気風路のうち、最大ｎ−１個の吸気風路中に設けられ、開度が複数段階又は無段階に調整し得る風路開閉手段と、
ｂ）前記換気ファンによる屋外への排気風量を略一定に維持するべくそのファンモータの回転を制御する第１制御手段と、
ｃ）前記排気風量の略一定制御の下に、前記換気ファンにより換気される前記ｎ室の換気風量変更の指示に応じて前記最大ｎ−１個の風路開閉手段の開度をそれぞれ制御する第２制御手段と、
を備えることを特徴としている。
【００２１】
この第２発明に係る浴室換気暖房換気装置によれば、住戸全体の換気風量を略一定に保ちながらｎ室の各換気風量を適宜に制御する際に、ｎ個の吸気風路のうち最大ｎ−１個の吸気風路中に風量調節手段を設ければよい。従って、全ての吸気風路中に風量調節手段を設ける必要はなく、構成を簡素化してコストの低減に寄与する。また、ｎ室の各換気風量の配分とは関係なく住戸全体の換気風量を充分に確保することができるので、上記ｎ室以外の各部屋の換気も充分に行い、快適な住環境を居住者に提供することが可能となる。
【００２２】
【発明の実施の形態】
以下、第１及び第２発明の一実施例による浴室換気暖房乾燥装置について、図１〜図５を参照しながら説明する。
【００２３】
図１は本実施例の浴室換気暖房乾燥装置を設置した住戸１の概略縦断面図、図３は本装置を集合住宅の住戸に設置した場合の概略平面図である。
住戸１内には、水廻り設備を配置した部屋として浴室２、洗面所３、トイレ４が配置され、それ以外に台所やリビングルームなどが配置されている。装置本体２０は浴室２の天井裏に設置されており、屋外に開口した排気口６と排気ダクト５により連通し、洗面所３内に開口した洗面所吸気グリル８と洗面所吸気ダクト７により連通し、トイレ４内に開口したトイレ吸気グリル１０とトイレ吸気ダクト９により連通している。洗面所３の壁面には操作用のリモコン１１が取り付けられ、リモコン１１と装置本体２０とは通信線１２で接続されている。
【００２４】
図２は本実施例の浴室換気暖房乾燥装置の装置本体２０の構成を示す概略断面図である。装置本体２０は、浴室２の暖房・乾燥を行うために、暖房乾燥区画室２１内に循環モータ２２、循環ファン２３及びヒータ２４を備え、この暖房乾燥区画室２１は吸気口２５及び吹出口２６を通して浴室２内と連通している。一方、換気を行うために、換気区画室２７内に換気モータ２８及び換気ファン２９を備え、この換気区画室２７には排気ダクト５、洗面所吸気ダクト７、及びトイレ吸気ダクト９が接続されている。これら吸気ダクト７、９の接続口にはそれぞれ換気区画室２７内方にのみ開放する逆流防止ダンパ３４、３５が設けられている。
【００２５】
また、吸気口３１を通して浴室２と連通する連結区画室３０は、風量調節ダンパ３３が設置された通気口３２を介して換気区画室２７と連通している。循環モータ２２、ヒータ２４、換気モータ２８、及び風量調節ダンパ３３はマイクロコンピュータを含む制御部４０によりその動作が電気的に制御される。
【００２６】
図４は風量調節ダンパ３３の概略構成図である。扉体３３ａはその略中央に取り付けられた（図３では紙面に直交する方向に延在している）軸３３ｂを中心に回動自在であって、軸３３ｂの回動は制御部４０からのパルス信号によって駆動されるステップモータ３３ｃにより制御される。従って、制御部４０はステップモータ３３ｃに送出するパルス信号の数を制御することにより、扉体３３ａの角度、つまり開度（又は開口面積）を制御することができる。なお、風量調節ダンパ３３の開度は任意に調節可能であるが、本実施例では、開度「零」（閉鎖）、開度「小」、開度「中」、及び開度「大」（全開）の４段階にのみ開度の設定が可能であるものとする。
【００２７】
この制御部４０の制御の下に行われる、本実施例の浴室換気暖房乾燥装置の特徴的な動作の一例として、浴室内で洗濯物等の乾燥を行う場合の乾燥モードについて、図５の制御フローチャートを参照して説明する。
【００２８】
本装置では、基本的に常時換気を行っている。常時換気運転では、制御部４０は換気モータ２８を駆動し、換気ファン２９の出口側、つまり排気ダクト５を経た排気風量がほぼ一定になるように換気モータ２８の回転速度を制御している（ステップＳ１０）。このとき風量調節ダンパ３３は開度「中」としておくものとする。この状態では、換気ファン２９の回転により、逆流防止ダンパ３４、３５が開いて洗面所吸気ダクト７及びトイレ吸気ダクト９から換気区画室２７内に空気が吸い込まれるとともに、吸気口３１を経て浴室２からも空気が吸い込まれ、これらは合流して排気ダクト５へ送り出される。これによって、浴室２、洗面所３及びトイレ４の３室換気が達成され、図３に描いたように、その３室を介して住戸１内の全部屋の換気を行うことができる。
【００２９】
こうした状態下で乾燥モードが開始されると、制御部４０は循環モータ２２を作動させるとともにヒータ２４に通電を行う（ステップＳ１１）。また、ステップモータ３３ｃに所定個数のパルス信号を送出して風量調節ダンパ３３の開度を「中」から「大」に変更する（ステップＳ１２）。それにより、循環ファン２３が回転し、吸気口２５から浴室２内の空気を暖房乾燥区画室２１内に吸い込む。この空気はヒータ２４のフィンを通過する際に熱交換によって加熱され、暖気となって吹出口２６から浴室２内へ送り出される。
【００３０】
一方、風量調節ダンパ３３の開度が増加したことにより、浴室２内から換気区画室２７へ吸引される吸気風量は増加する。但し、上述したように換気モータ２８は排気風量が一定になるように制御されているため、浴室２からの吸気風量の増加分は洗面所３及びトイレ４からの吸気風量の減少によって補われる。このように、乾燥モードの開始当初、風量調節ダンパ３３は全開状態に維持されるため、浴室２内に供給された暖気によって洗濯物から水蒸気が吐き出されると、その水蒸気を含む湿った空気は迅速に吸気口３１→連結区画室３０→通気口３２→換気区画室２７へ吸引され、洗面所３及びトイレ４から吸引された空気と共に排気ダクト５へ送られる。実際上、乾燥の初期には、浴室２内へ供給された熱量の多くは洗濯物から水蒸気を蒸発させるために使用されるため、浴室２内の温度上昇はそれほど大きくはない。
【００３１】
上記のような乾燥運転が進行して乾燥開始から所定時間が経過すると、ステップＳ１３からＳ１４へ進み、制御部４０はステップモータ３３ｃに所定個数のパルス信号を送出して風量調節ダンパ３３の開度を「大」から「小」に変更する。これにより、浴室２内から換気区画室２７へ吸引される吸気風量は減少する。但し、上述したように換気モータ２８は排気風量が一定になるように制御されているため、浴室２からの吸気風量の減少分は洗面所３及びトイレ４からの吸気風量の増加によって補われる。従って、住戸１内全体の換気風量は充分に確保され、良好な室内環境を維持することができる。
【００３２】
上記のように浴室２からの吸気風量が減少した時点では洗濯物からの水蒸気の発生量も少なくなっており、浴室２内に供給された熱量のうち、温度上昇に利用される割合が増加する。また、吸気風量が減少したことによって、温度上昇した空気が屋外へ排出されにくくなるので、効率良く浴室２内の温度を上昇させることができる。それによって、洗濯物に残る湿り気をほぼ完全に蒸発させるとともに、洗濯物のふんわり感を向上させることができる。そして、所定の乾燥時間が経過したならば、ステップＳ１５からＳ１６へ進み、循環モータ２２の動作を停止するとともにヒータ２４への通電を停止し、乾燥運転を終了する。それと同時又はその後に、制御部４０はステップモータ３３ｃに所定個数のパルス信号を送出して風量調節ダンパ３３の開度を「小」から「中」に戻し、常時換気を継続する（ステップＳ１７）。
【００３３】
以上のように本実施例による浴室換気暖房乾燥装置では、乾燥モードの運転の前半期間には風量調節ダンパ３３の開度を小さくすることによって、浴室２内からの吸気風量の絞りを達成し、結果として効率的で且つ仕上がりの良好な洗濯物乾燥を遂行することができる。また、そうした浴室２からの吸気風量の絞りを行いつつも、住戸１内全体の換気風量を略一定に維持し、快適な居住性を実現することができる。
【００３４】
次に、本実施例の浴室換気暖房乾燥装置の特徴的な動作の他の例として、トイレ使用時等の動作について、図６の制御フローチャートを参照して説明する。
【００３５】
上記ステップＳ１０と同様のＳ２０の処理により、浴室２、洗面所３及びトイレ４の３室換気による常時換気を行っているとき、制御部４０はトイレ換気強の指示の有無を繰り返し判定する（ステップＳ２１）。ここで、トイレ換気強の指示は、例えばトイレ換気の強弱の切換スイッチにおいてトイレ換気強が選択された場合や、トイレ照明スイッチのオン操作によってトイレが使用中であることが高い確度で推定できる状態になったときに為されるようにすればよい。
【００３６】
トイレ換気強が指示されるとステップＳ２１からＳ２２へ進み、制御部４０はステップモータ３３ｃに所定個数のパルス信号を送出して風量調節ダンパ３３の開度を「中」から「小」に変更する。これにより、浴室２内から換気区画室２７へ吸引される吸気風量は減少するが、換気モータ２８は排気風量が一定になるように制御されているため、浴室２からの吸気風量が減少する代わりに、洗面所３及びトイレ４からの吸気風量が増加する。これによってトイレ４からの吸気風量を増加させることができるとともに、住戸１内全体の換気風量も充分に確保されて良好な室内環境を維持することができる。
【００３７】
そしてトイレ換気強解除の指示があるまでその状態を維持し、解除指示があったならばステップＳ２３からＳ２４へ進み、制御部４０はステップモータ３３ｃに所定個数のパルス信号を送出して風量調節ダンパ３３の開度を「小」から「中」に戻し、常時換気を継続する。
【００３８】
以上のように本実施例による浴室換気暖房乾燥装置では、トイレ４の換気を強にしたい場合に風量調節ダンパ３３の開度を小さくすることによって、浴室２内からの吸気風量を減少させ、その結果、トイレ４からの吸気風量を増加させることができる。もちろん、トイレ４ではなく洗面所３の換気を強にしたい場合にも同様の方法で換気風量を増加できることは明らかである。
【００３９】
上記実施例の構成では、浴室２からの吸気風量を調節するための風量調節ダンパ３３の開度を制御することにより、トイレ４又は洗面所３の換気風量を増加させることが可能であるが、例えばトイレ４の換気風量を増加させたい場合でも同時に洗面所３の換気風量も増加してしまう。一般に、換気風量が増加すると隣室との連通口（ガラリなど）を介してその隣室からの流れ込む空気量が増加し、当該部屋内に居る人が肌寒く感じることがある。例えばトイレ４を使用するべくトイレ換気強を指示したときに、他の人が洗面所３で風呂に入る準備をしているような場合、洗面所３に居る人は急に肌寒く感じて不快な思いをすることが考えられる。
【００４０】
そこで、こうした問題を解消するため、本発明の他の実施例として図７に示すような構成に変形することができる。図７において図２と同一構成要素については同一符号を付して説明を省略する。特徴的な点は、換気区画室２７へのトイレ吸気ダクト９の接続部分に、先の実施例において設けられていた逆流防止ダンパ３５に代えて、制御部４０により開閉動作が制御されるトイレ側風量調節ダンパ３６を備えることである。このトイレ側風量調節ダンパ３６の構成は浴室側の風量調節ダンパ３３と同様である。
【００４１】
この構成による浴室換気暖房乾燥装置では、浴室２、洗面所３及びトイレ４のいずれか１つ以上の部屋の換気風量の増加又は減少が指示されたときに、制御部４０は２つの風量調節ダンパ３３、３６の開度をそれぞれ独立に且つ適当に調整することにより、使用者（居住者）が最も快適であるような風量設定を実現している。具体的な制御の一例として上記例と同様にトイレ換気を強にしたい場合について、図８の制御フローチャートを参照して説明する。
【００４２】
浴室２、洗面所３及びトイレ４の３室換気による常時換気運転時には、浴室側及びトイレ側の風量調節ダンパ３３、３６の開度はいずれも「中」に設定する（ステップＳ３０）。制御部４０はトイレ換気強の指示の有無を繰り返し判定し（ステップＳ３１）、トイレ換気強が指示されるとステップＳ３２へ進み、制御部４０は浴室側風量調節ダンパ３３の開度を「中」から「小」に変更する一方、トイレ側風量調節ダンパ３６の開度を「中」から「大」に変更する。これにより、浴室側風量調節ダンパ３３を通過する流路の流路抵抗が増加する一方、トイレ側風量調節ダンパ３６を通過する流路（トイレ吸気ダクト９）の流路抵抗は減少する。そのため、排気風量一定の制御の下に、浴室２からの吸気風量の減少分はその殆どがトイレ４からの吸気風量の増加によって補われる。従って、トイレ換気強時に洗面所３からの吸気風量が急に増加することを軽減することができる。
【００４３】
もちろん、トイレ換気以外に、上述したように乾燥モード時の換気風量の増減や、浴室２や洗面所３の換気強などに対しても、２つの風量調節ダンパの開度の制御によって、住戸１内全体の換気風量を一定に維持しつつ、各部屋からの換気風量をより適切に定めることができる。
【００４４】
上記実施例はいずれも３室換気の浴室換気暖房乾燥装置であるが、本発明は３室換気に限るものではない。こうした換気装置によって住戸１内全体の換気を行おうとする場合、例えば或る１室からの換気を停止したり換気風量をごく小さく絞ったりしたときに、他の２室からの換気のみでは充分な換気風量を確保することが困難な場合があり得る。そうした場合には、図９に示すように、住戸１内の他の部屋、廊下、天井裏などの空間１３に向けて開口する第４吸気グリル１５を設置し、その吸気グリル１５と装置本体２０の換気区画室２７（図９では図示せず）とを接続する第４吸気ダクト１４を配設するとよい。第４吸気グリル１５は住戸１内のいずれの場所に設けてもよいが、吸気ダクト１４の圧損はできるだけ小さいほうが好ましいから、その点では第４吸気グリル１５を装置本体２０に近い場所に設けるほうがよい。
【００４５】
図９の構成によれば、住戸１内から装置本体２０への最大吸気風量が図１の構成よりも増加するため、１室又は複数室からの吸気を停止したり吸気風量を大きく減らしたりしても、例えば２４時間換気のような常時換気運転に必要な換気風量を確保し易くなり、上記のように風量調節ダンパによる風量調節の自由度も増加する。それによって、居住者の快適性を損なうことなく、適切な換気風量調節が行い易くなる。
【００４６】
さらにまた、図９の構成と同様に４室換気を可能とした他の実施例による構成の概略を図１０に、このときの装置本体２０の構成を図１１に示す。この例では、住戸１内の天井裏１６の空間に開口するように天井裏吸気グリル（第４吸気グリル）１８を設け、この天井裏吸気グリル１８と装置本体２０とを天井裏吸気ダクト（第４吸気ダクト）１７で接続している。但し、図１０では理解を容易にするために天井裏吸気ダクト１７を装置本体２０から突設しているが、実際には装置本体２０は天井裏１６の空間に面していることが多いので、天井裏吸気ダクト１７を延ばす必要がない場合が多い。
【００４７】
図１１に示すように、この装置本体２０では、浴室側風量調節ダンパ３３のほかに、洗面所吸気ダクト７及び天井裏吸気ダクト１７の接続箇所にそれぞれ制御部４０による開度の制御が可能な洗面所側風量調節ダンパ３７、天井裏側風量調節ダンパ３８が設けられている。即ち、浴室２、洗面所３、トイレ４、及び天井裏１６からの４系統の吸気風路中の３系統の吸気風路に風量調節ダンパ３７を設置し、これにより、それら３系統の吸気風路を介しての吸気風量のみならず、風量調節ダンパを設置していないトイレ吸気ダクト９を介しての吸気風量も制御するようにしている。
【００４８】
この構成における換気風量制御の一例について説明する。常時換気の通常運転時には、制御部４０により、浴室側風量調節ダンパ３３の開度は「中」、洗面所側風量調節ダンパ３７の開度は「中」、天井裏側風量調節ダンパ３８の開度は「小」に設定される。天井裏１６からの吸気風量を小さくしているのは、通常、天井裏１６においては大風量の換気を行う必要性が低いからである。
【００４９】
上記常時換気中に浴室暖房運転が指示され、且つ洗面所換気の強弱切換スイッチにおいて洗面所換気弱が選択された（又は浴室暖房運転と連動して洗面所換気を弱に自動設定する）場合を考える。この場合、制御部４０の制御の下に、循環ファン２３が駆動されるとともにヒータ２４に通電がなされ、吹出口２６から暖気が浴室２内へと供給される。一方、暖房中である浴室２内の暖気を逃がさないように浴室側風量調節ダンパ３３は閉鎖され、浴室２に隣接する洗面所３からの吸気風量も減少させるべく洗面所側風量調節ダンパ３７の開度は「中」から「小」に変更される。
【００５０】
しかしながら、制御部４０は排気風量を略一定に維持するように換気モータ２８の回転を制御しているので、そのままの状態ではトイレ４からの吸気風量が急激に増加する。それにより、トイレ吸気グリル８での吸い込み音が異常に大きくなってトイレ４内に居る人が不安を感じたり、冬場ではドアの隙間等からの冷気の侵入により肌寒さを感じてしまう（いわゆるコールドドラフト）。そこで、上述したように浴室側及び洗面所側風量調節ダンパ３３、３７の開度を変更すると同時又はそれに先立って、天井裏側風量調節ダンパ３８の開度を「小」から「大」に変更しておく。それにより、天井裏１６からの吸気風量が急激に増加し、トイレ４からの吸気風量の増加の度合を軽減することができ、トイレ吸気グリル１０での吸い込み音も抑制することができる。
【００５１】
また、浴室暖房運転時に洗面所３からの吸気風量を減らせば、他の部屋（浴室２以外）から洗面所３へ流入する風量が減少するため、特に冬場において、入浴の準備又は入浴後の身支度等のために洗面所３に居る人に対するコールドドラフトを緩和することができる。更にまた、浴室２の換気が停止された状態において洗面所３で大きな風量で換気が行われると、浴室２内雰囲気が負圧になり浴室２内の湿気が洗面所３へ侵入し易くなるが、洗面所３の換気を弱めることによりこうした湿気の侵入も軽減できる。
【００５２】
なお、上記実施例はいずれも本発明の一例であって、上記で言及した以外の点についても、本発明の趣旨の範囲で適宜変更、修正、追加を行っても本発明に包含されることは当然である。
【図面の簡単な説明】
【図１】第１及び第２発明の一実施例による浴室換気暖房乾燥装置を設置した住戸の概略縦断面図。
【図２】本実施例の浴室換気暖房乾燥装置の装置本体の構成を示す概略断面図。
【図３】本実施例の浴室換気暖房乾燥装置を集合住宅の住戸に設置した場合の概略平面図。
【図４】本実施例の浴室換気暖房乾燥装置における風量調節ダンパの概略構成図。
【図５】本実施例の浴室換気暖房乾燥装置における特徴的な動作の一例を示す制御フローチャート。
【図６】本実施例の浴室換気暖房乾燥装置における特徴的な動作の他の例を示す制御フローチャート。
【図７】他の実施例による浴室換気暖房乾燥装置の装置本体の構成を示す概略断面図。
【図８】他の実施例による浴室換気暖房乾燥装置における特徴的な動作の一例を示す制御フローチャート。
【図９】更に他の実施例による浴室換気暖房乾燥装置を設置した住戸の概略縦断面図。
【図１０】更に他の実施例による浴室換気暖房乾燥装置を設置した住戸の概略縦断面図。
【図１１】図１０の実施例における装置本体の構成を示す概略断面図。
【符号の説明】
１…住戸
２…浴室
３…洗面所
４…トイレ
５…排気ダクト
６…排気口
７…洗面所吸気ダクト
８…洗面所吸気グリル
９…トイレ吸気ダクト
１０…トイレ吸気グリル
１１…リモコン
１２…通信線
１３…住戸内空間
１４…第４吸気ダクト
１５…第４吸気グリル
１６…天井裏
１７…天井裏吸気ダクト
１８…天井裏吸気グリル
２０…装置本体
２１…暖房乾燥区画室
２２…循環モータ
２３…循環ファン
２４…ヒータ
２５…吸気口
２６…吹出口
２７…換気区画室
２８…換気モータ
２９…換気ファン
３０…連結区画室
３１…吸気口
３２…通気口
３３…（浴室側）風量調節ダンパ
３３ａ…扉体
３３ｂ…軸
３３ｃ…ステップモータ
３４…逆流防止ダンパ
３６…トイレ側風量調節ダンパ
３７…洗面所側風量調節ダンパ
３８…天井裏側風量調節ダンパ
４０…制御部
【図１】
2004257605.tif 000003
【図２】
2004257605.tif 000004
【図３】
2004257605.tif 000005
【図４】
2004257605.tif 000006
【図５】
2004257605.tif 000007
【図６】
2004257605.tif 000008
【図７】
2004257605.tif 000009
【図８】
2004257605.tif 000010
【図９】
2004257605.tif 000011
【図１０】
2004257605.tif 000012
【図１１】
2004257605.tif 000013